(57)【要約】  【課題】  固定される原稿および搬送される原稿を、共に高画質で読み取る。  【解決手段】  原稿固定読み取りと原稿流し読み取りとで、その原稿面の高さがＨ１−Ｈ２＝Δ１だけ異なっている場合に、原稿の画像を読み取る共用読み取りユニット７４を案内するレール７３の第１のレール部７３Ａと第２のレール部７３Ｂとの間に段差を設け、第１のレール部７３Ａの高さＨ３と第２のレール部７３Ｂの高さＨ４とをＨ３−Ｈ４＝Δ２だけ異ならせる。そして、レール７３の段差Δ２が上述した原稿面の高さの差Δ１と一致するように、つまり、ジャンプ台４４の高さの分だけ第２のレール部７３Ｂの高さをずらすことで、Δ１＝Δ２となるように設定を行う。  【選択図】  図６
2005277774.tif 000002
【特許請求の範囲】
【請求項１】
原稿を載置する載置手段と、
原稿を搬送する搬送手段と、
前記載置手段に載置される原稿の画像を第１の読み取り位置で読み取り、前記搬送手段により搬送される原稿の画像を第２の読み取り位置で読み取る受光素子を備えた読み取り手段と、
前記第１の読み取り位置における原稿の読み取り面から前記受光素子までの光路長と、前記第２の読み取り位置における原稿の読み取り面から当該受光素子までの光路長とを合わせる調整手段と
を含む画像読み取り装置。
【請求項２】
前記第１の読み取り位置と前記第２の読み取り位置とはその高さが異なり、
前記調整手段は、前記第１の読み取り位置と前記第２の読み取り位置との高さに合わせて、前記受光素子の高さを異ならせることを特徴とする請求項１記載の画像読み取り装置。
【請求項３】
前記読み取り手段は、
原稿に向けて光を照射する光源と、
原稿からの反射光を集光するレンズと、
前記レンズにより集光された反射光を受光するセンサと
を有することを特徴とする請求項１記載の画像読み取り装置。
【請求項４】
前記光源は複数のＬＥＤ(Light Emitting Diode)を並べたＬＥＤアレイにて構成されると共に、前記レンズは複数のセルフォックレンズを並べたセルフォックレンズアレイにて構成されることを特徴とする請求項３記載の画像読み取り装置。
【請求項５】
前記調整手段は、前記第１の読み取り位置と前記第２の読み取り位置とで前記読み取り手段の高さを異ならせながら当該読み取り手段を案内するレールを備えることを特徴とする請求項１記載の画像読み取り装置。
【請求項６】
原稿を載置する載置手段と、
原稿を搬送する搬送手段と、
前記載置手段に載置される原稿の画像を読み取り、前記搬送手段により搬送される原稿の画像を読み取る読み取り手段と、
前記搬送手段により搬送される原稿を、前記載置手段に載置される原稿と略同じ高さとなるように案内する案内手段と
を含む画像読み取り装置。
【請求項７】
前記載置手段は原稿を載置するための透過部材を有し、前記案内手段は前記透過部材の上面と略同一高さに形成された案内部材を有することを特徴とする請求項６記載の画像読み取り装置。
【請求項８】
前記案内部材は、前記搬送手段により搬送され前記読み取り手段により読み取られる原稿の読み取り位置よりも原稿搬送方向上流側に設けられることを特徴とする請求項７記載の画像読み取り装置。
【請求項９】
前記読み取り手段は、ＣＩＳ(Contact Image Sensor)からなることを特徴とする請求項６記載の画像読み取り装置。
【請求項１０】
原稿が載置される透過部材と、
前記透過部材の原稿載置部上に載置される原稿の画像を読み取る第１の読み取りモードと、前記透過部材の原稿通過部の下部に固定されて当該原稿通過部上を通過する原稿の画像を読み取る第２の読み取りモードとを実行する読み取り部と
を備え、
前記第１の読み取りモードにおける前記読み取り部と原稿との間の空間換算距離および前記第２の読み取りモードにおける当該読み取り部と原稿との間の空間換算距離が略同一となるように、前記透過部材における前記原稿載置部および前記原稿通過部の厚さまたは材質を異ならせることを特徴とする画像読み取り装置。
【請求項１１】
前記読み取り部は、密着型イメージセンサを有することを特徴とする請求項１０記載の画像読み取り装置。
【請求項１２】
前記透過部材における前記原稿通過部と所定の段差をもって形成され、搬送される原稿を当該原稿通過部から所定距離だけ離間させる段差部材をさらに含み、
前記原稿通過部は前記原稿載置部より厚く設定されることを特徴とする請求項１０記載の画像読み取り装置。
【請求項１３】
前記原稿載置部と前記原稿通過部とが、異なる透過部材にて構成されることを特徴とする請求項１０記載の画像読み取り装置。
【発明の詳細な説明】
【技術分野】
【０００１】
本発明は、原稿上の画像を読み取る画像読み取り装置等に係り、特に、固定される原稿および搬送される原稿を、同じ読み取り部を用いて読み取り可能な画像読み取り装置に関する。
【背景技術】
【０００２】
従来、複写機やファクシミリ等の読み取り装置、コンピュータ入力用のスキャナ等として、原稿の画像情報を自動的に読み取る画像読み取り装置が用いられている。この種の画像読み取り装置では、主走査方向に延設される光源を用いて原稿に光を照射し、照射された原稿から反射した反射光を読み取り部にて読み取っている。
【０００３】
このような従来の画像読み取り装置における読み取り方式としては、プラテンガラス上に原稿を載置し、原稿を固定しつつ読み取り部を移動させながら原稿の画像を読み取る所謂プラテンスキャン方式(原稿固定読み取り方式)と、プラテンガラスの下側に読み取り部を固定しつつ原稿を移動させながら原稿の画像を読み取る所謂ＣＶＴ(Constant Velocity Transport)方式(原稿流し読み取り方式)とが知られている(特許文献１参照。)。そして、現在では、読み取り部を共用化し、プラテンスキャン方式およびＣＶＴ方式にて原稿の画像を読み取り可能とした画像読み取り装置が実用化されている。
【０００４】
【特許文献１】特開２００１−２２３８３２号公報(第４−５頁、図１)
【発明の開示】
【発明が解決しようとする課題】
【０００５】
ところで、従来の画像読み取り装置では、上述した読み取り部として、キセノンランプ等の光源によって照射された原稿からの反射光を複数のミラーを介して反射させ、結像用レンズにてＣＣＤセンサ等に結像させる縮小光学系を用いた方式のものが一般的であった。この縮小光学系を用いた方式では、複数のミラーを設けたりしなければならない分、装置が大型化してしまうといった問題がある。そこで、最近では、例えば形状の小さいＬＥＤ(Light Emitting Diode)を光源に利用し、例えばセルフォックレンズを介してリニアセンサで画像を直接読み取る、密着光学系を用いたＣＩＳ(Contact Image Sensor)と呼ばれるイメージセンサを用いることが検討されている。
【０００６】
しかしながら、上述したＣＩＳを用いた場合には、その焦点深度が、縮小光学系を用いた場合と比較して著しく浅く、ＣＩＳと原稿面との距離が少しでも狂うと、焦点がずれてしまい、読み取った画像がぼけてしまう。このため、読み取り部を共用化してプラテンガラス方式およびＣＶＴ方式にて画像を読み取る画像読み取り装置の読み取り部としてＣＩＳを採用した場合には、プラテンガラス上に載置される原稿面の高さと、ＣＶＴにて搬送される原稿面の高さとが異なっている場合には、どちらか一方の画像がぼけてしまうおそれがあった。
【０００７】
また、ＣＶＴ方式を用いて原稿の画像を読み取る場合には、プラテンガラスの下側に読み取り部を固定するため、このプラテンガラス上に異物の付着等が生じると、読み取られる画像データ中に副走査方向の黒筋が発生してしまい、読み取り画像の画質劣化を招いてしまう。そこで、上述した特許文献１には、プラテンガラスよりも原稿搬送方向上流側にジャンプ台を配置することで原稿の搬送位置をプラテンガラス面から離し、プラテンガラスから原稿を浮かせた状態で搬送する技術が記載されている。
すると、上述したＣＩＳを用いた場合に、このようなジャンプ台を配置すると、プラテンガラス上に載置される原稿面の高さとＣＶＴにて搬送される原稿面の高さとにさらに相違が生じやすくなってしまうため、画像のぼけが著しくなってしまう。
【０００８】
本発明は、かかる技術的課題を解決するためになされたものであって、その目的とするところは、固定される原稿および搬送される原稿を、共に高画質で読み取ることにある。
また、他の目的は、固定される原稿の読み取り高さと搬送される原稿の読み取り高さとが異なる場合に、読み取られる画像のぼけを抑制することにある。
【課題を解決するための手段】
【０００９】
かかる目的のもと、本発明が適用される画像読み取り装置は、原稿を載置する載置手段と、原稿を搬送する搬送手段と、載置手段に載置される原稿の画像を第１の読み取り位置で読み取り、搬送手段により搬送される原稿の画像を第２の読み取り位置で読み取る受光素子を備えた読み取り手段と、第１の読み取り位置における原稿の読み取り面から受光素子までの光路長と、第２の読み取り位置における原稿の読み取り面から受光素子までの光路長とを合わせる調整手段とを含んでいる。
【００１０】
ここで、第１の読み取り位置と第２の読み取り位置とはその高さが異なり、調整手段は、第１の読み取り位置と第２の読み取り位置との高さに合わせて、受光素子の高さを異ならせることを特徴とすることができる。また、読み取り手段は、原稿に向けて光を照射する光源と、原稿からの反射光を集光するレンズと、レンズにより集光された反射光を受光するセンサと、有することを特徴とすることができ、光源は複数のＬＥＤ(Light Emitting Diode)を並べたＬＥＤアレイにて構成されると共に、レンズは複数のセルフォックレンズを並べたセルフォックレンズアレイにて構成されることを特徴とすることができる。さらに、調整手段は、第１の読み取り位置と第２の読み取り位置とで読み取り手段の高さを異ならせながら読み取り手段を案内するレールを備えることを特徴とすることができる。
【００１１】
また、他の観点から捉えると、本発明が適用される画像読み取り装置は、原稿を載置する載置手段と、原稿を搬送する搬送手段と、載置手段に載置される原稿の画像を読み取り、搬送手段により搬送される原稿の画像を読み取る読み取り手段と、搬送手段により搬送される原稿を、載置手段に載置される原稿と略同じ高さとなるように案内する案内手段とを含んでいる。
【００１２】
ここで、載置手段は原稿を載置するための透過部材を有し、案内手段は透過部材の上面と略同一高さに形成された案内部材を有することを特徴とすることができ、案内部材は、搬送手段により搬送され読み取り手段により読み取られる原稿の読み取り位置よりも原稿搬送方向上流側に設けられることを特徴とすることができる。また、読み取り手段は、ＣＩＳ(Contact Image Sensor)からなることを特徴とすることができる。
【００１３】
さらに、他の観点から捉えると、本発明が適用される画像読み取り装置は、原稿が載置される透過部材と、透過部材の原稿載置部上に載置される原稿の画像を読み取る第１の読み取りモードと、透過部材の原稿通過部の下部に固定されて原稿通過部上を通過する原稿の画像を読み取る第２の読み取りモードとを実行する読み取り部とを備え、第１の読み取りモードにおける読み取り部と原稿との間の空間換算距離および第２の読み取りモードにおける読み取り部と原稿との間の空間換算距離が略同一となるように、透過部材における原稿載置部および原稿通過部の厚さまたは材質を異ならせることを特徴としている。
【００１４】
ここで、読み取り部は、密着型イメージセンサを有することを特徴とすることができる。また、透過部材における原稿通過部と所定の段差をもって形成され、搬送される原稿を原稿通過部から所定距離だけ離間させる段差部材をさらに含み、原稿通過部は原稿載置部より厚く設定されることを特徴とすることができる。さらに、原稿載置部と原稿通過部とが、異なる透過部材にて構成されることを特徴とすることができる。
【発明の効果】
【００１５】
本発明によれば、固定される原稿および搬送される原稿を、共に高画質で読み取ることができる。
【発明を実施するための最良の形態】
【００１６】
以下、添付図面を参照して、本発明を実施するための最良の形態(以下、実施の形態という)について詳細に説明する。
―実施の形態１―
図１は本実施の形態が適用される画像読み取り装置を示した図である。この画像読み取り装置は、大きく、積載された原稿束から原稿を順次、搬送する搬送手段としての原稿送り装置１０、スキャンによって画像を読み込むスキャナ装置７０、および、読み込まれた画像信号を処理する処理装置８０に大別される。
【００１７】
搬送手段としての原稿送り装置１０は、複数枚の原稿からなる原稿束を積載する原稿トレイ１１、原稿トレイ１１を上昇および下降させるトレイリフタ１２を備えている。また、トレイリフタ１２により上昇された原稿トレイ１１の原稿を搬送するナジャーロール１３、ナジャーロール１３により搬送された原稿を更に下流側まで搬送するフィードロール１４、ナジャーロール１３により供給される原稿を１枚ずつ捌くリタードロール１５を備えている。最初に原稿が搬送される第１搬送路３１には、一枚ずつに捌かれた原稿を下流側のロールまで搬送するテイクアウェイロール１６、原稿を更に下流側のロールまで搬送すると共にループ作成を行うプレレジロール１７、一旦、停止した後にタイミングを合わせて回転を再開し、原稿読み取り部に対してレジストレーション調整を施しながら原稿を供給するレジロール１８、読み込み中の原稿搬送をアシストするプラテンロール１９、読み込まれた原稿を更に下流に搬送するアウトロール２０を備えている。また、搬送路としての第１搬送路３１には、搬送される原稿のループ状態に応じて支点を中心として回動するバッフル４１を備えている。更に、プラテンロール１９とアウトロール２０との間には、ＣＩＳ(Contact Image Sensor)５０を備えている。
【００１８】
アウトロール２０の下流側には、第２搬送路３２および第３搬送路３３が設けられ、これらの搬送路を切り替える搬送路切替ゲート４２、読み込みが終了した原稿を積載させる排出トレイ４０、排出トレイ４０に対して原稿を排出させる第１排出ロール２１を備えている。また、第３搬送路３３を経由した原稿に対してスイッチバックさせる第４搬送路３４、第４搬送路３４に設けられ、実際に原稿のスイッチバックを行うインバータロール２２およびインバータピンチロール２３、第４搬送路３４によってスイッチバックされた原稿を再度、プレレジロール１７等を備える第１搬送路３１に導く第５搬送路３５、第４搬送路３４によってスイッチバックされた原稿を排出トレイ４０に排出する第６搬送路３６、第６搬送路３６に設けられ、反転排出される原稿を第１排出ロール２１まで搬送する第２排出ロール２４、第５搬送路３５および第６搬送路３６の搬送経路を切り替える出口切替ゲート４３を備えている。
【００１９】
ナジャーロール１３は、待機時にはリフトアップされて退避位置に保持され、原稿搬送時にニップ位置(原稿搬送位置)へ降下して原稿トレイ１１上の最上位の原稿を搬送する。ナジャーロール１３およびフィードロール１４は、フィードクラッチ(図示せず)の連結によって原稿の搬送を行う。プレレジロール１７は、停止しているレジロール１８に原稿先端を突き当ててループを作成する。レジロール１８では、ループ作成時に、レジロール１８に噛み込んだ原稿先端をニップ位置まで戻している。このループが形成されると、バッフル４１は支点を中心として開き、原稿のループを妨げることのないように機能している。また、テイクアウェイロール１６およびプレレジロール１７は、読み込み中におけるループを保持している。このループ形成によって、読み込みタイミングの調整が図られ、また、読み込み時における原稿搬送に伴うスキューを抑制して、位置合わせの調整機能を高めることができる。読み込みの開始タイミングに合わせて、停止されていたレジロール１８が回転を開始し、プラテンロール１９によって、第２のプラテンガラス７２Ｂ(後述)に押圧されて、下面方向から画像データが読み込まれる。
【００２０】
搬送路切替ゲート４２は、片面原稿の読み取り終了時、および両面原稿の両面同時読み取りの終了時に、アウトロール２０を経由した原稿を第２搬送路３２に導き、排出トレイ４０に排出するように切り替えられる。一方、この搬送路切替ゲート４２は、両面原稿の順次読み取り時には、原稿を反転させるために、第３搬送路３３に原稿を導くように切り替えられる。インバータピンチロール２３は、両面原稿の順次読み取り時に、フィードクラッチ(図示せず)がオフの状態でリトラクトされてニップが開放され、原稿をインバータパス(第４搬送路３４)へ導いている。その後、このインバータピンチロール２３はニップされ、インバータロール２２によってインバートする原稿をプレレジロール１７へ導き、また、反転排出する原稿を第６搬送路３６の第２排出ロール２４まで搬送している。
【００２１】
スキャナ装置７０は、上述した原稿送り装置１０を備えることができると共に、この原稿送り装置１０を装置フレーム７１によって支え、また、原稿送り装置１０によって搬送された原稿の画像読み取りを行っている。このスキャナ装置７０は、装置フレーム７１に、画像を読み込むべき原稿を静止させた状態で載置する載置手段あるいは原稿載置部としての第１のプラテンガラス７２Ａ、原稿送り装置１０によって搬送される原稿を読み取るための光の開口部を形成する原稿通過部としての第２のプラテンガラス７２Ｂが設けられている。ここで、第１のプラテンガラス７２Ａおよび第２のプラテンガラス７２Ｂは、例えば長尺の板状構造をなす透明なガラスプレートで構成される。そして、本実施の形態では、これら透過部材としての第１のプラテンガラス７２Ａおよび第２のプラテンガラス７２Ｂが、同材質且つ同じ厚さにて構成されている。
なお、本実施の形態では、スキャナ装置７０に対して原稿送り装置１０が奥側を支点に揺動自在に取り付けられており、第１のプラテンガラス７２Ａ上に原稿をセットする際には、原稿送り装置１０を持ち上げて原稿を載置し、その後、原稿送り装置１０をスキャン装置７０側に降ろして押し付けるようになっている。
【００２２】
また、スキャナ装置７０は、装置フレーム７１内に略水平方向に沿って配置されるレール７３と、このレール７３上を移動自在に配置され、第２のプラテンガラス７２Ｂの下に静止し、および第１のプラテンガラス７２Ａの全体に亘ってスキャンして画像を読み込む読み取り手段あるいは読み取り部としての共用読み取りユニット７４を有している。ここで、レール７３は、第１のプラテンガラス７２Ａの下側に形成される第１のレール部７３Ａと、第２のプラテンガラス７２Ｂの下側に第１のレール部７３Ａよりも一段高く形成される第２のレール部７３Ｂと、第１のレール部７３Ａと第２のレール部７３Ｂとの間で両者をつなぐ斜行部７３Ｃとを有している。
【００２３】
本実施の形態では、共用読み取りユニット７４を第２のプラテンガラス７２Ｂの下部に停止させ、原稿の第１面の読み取りを行う原稿の搬送時に、同時(時間の完全一致ではなく、同一の原稿搬送時程度の意味) にＣＩＳ５０によって、原稿の第２面の読み取りを行うことが可能である。即ち、共用読み取りユニット７４とＣＩＳ５０とを用いて、搬送路への原稿の一度の搬送で、この原稿における表裏両面の画像を読み取ることを可能としている。
【００２４】
図２は、ＣＩＳ５０およびＣＩＳ５０近傍の構造を説明するための図である。図２に示すように、ＣＩＳ５０は、プラテンロール１９とアウトロール２０との間に設けられる。また、本実施の形態では、第２のプラテンガラス７２Ｂの上面であってプラテンロール１９よりもわずかに上流側に段差部材あるいは案内部材としてのジャンプ台４４が取り付けられている。原稿の片面(第１面)は、このジャンプ台４４を通過して第２のプラテンガラス７２Ｂから所定距離だけ離れた状態でプラテンロール１９によって第２のプラテンガラス７２Ｂ側に付勢され、この第１面の画像が共用読み取りユニット７４にて読み込まれる。これにより、搬送される原稿が第２のプラテンガラス７２Ｂに擦り付けられ、第２のプラテンガラス７２Ｂに汚れが付着するといった事態が防止される。一方、ＣＩＳ５０では、原稿を搬送する搬送路を介して対向する他方の側から、片面(第２面)の画像が読み込まれる。
【００２５】
このＣＩＳ５０は、ハウジング５０ａと、このハウジング５０ａに装着されるガラス５１と、このガラス５１を透過して原稿の第２面に光を照射するＬＥＤアレイ５２と、ＬＥＤアレイ５２からの反射光を集光するセルフォックレンズ５３と、このセルフォックレンズ５３により集光された光を読み取るラインセンサ５４とを備えている。ラインセンサ５４としては、ＣＣＤやＣＭＯＳセンサ、密着型センサ等を用いることができ、実寸幅(例えばＡ４長手幅２９７ｍｍ)の画像を読み取ることが可能である。ＣＩＳ５０では、縮小光学系を用いずに、セルフォックレンズ５３とラインセンサ５４を用いて画像の取り込みを行うことから、構造をシンプルにすることができ、且つ、筐体を小型化し、消費電力を低減することができる。
【００２６】
また、ＣＩＳ５０による画像読み取りに際して、この読み取り部を構成する搬送路に、ＣＩＳ５０の筐体から延びる制御部材５５、制御部材５５によって押し付けられた原稿を突き当てる突き当て部材６０を備えている。ただし、制御部材５５はＣＩＳ５０を介して原稿送り装置１０(図１参照)に取り付けられているが、突き当て部材６０はスキャナ装置７０(図１参照)に取り付けられている。また、この突き当て部材６０の下流側にはガイド部材６１が設けられ、このガイド部材６１と突き当て部材６０との間には開口部６３を構成し、更に、ガイド部材６１の下部であって開口部６３に連続する箇所には、原稿の表面に付着してきたごみや汚れを溜める回収部としてのごみ溜め部６２が設けられている。制御部材５５および突き当て部材６０は、原稿の搬送路に直交する方向に(即ち、原稿送り装置１０の前面から後面の方向に)、原稿送り装置１０の前面から後面まで、搬送路の位置に対応して設けられている。
【００２７】
ここで、制御部材５５は、ＣＩＳ５０に設けられた軸５５ａに巻き回されたくの字状の板金からなる板バネにて構成されており、制御部材５５を撓み自在とすることで、搬送されてくる原稿の厚み分を吸収できると共に、折り曲げ跡のついた原稿であっても安定して搬送できるようになっている。
また、制御部材５５の先端側は、ＣＩＳ５０による読み取り位置近傍まで伸びており、原稿と接触する部位にはヘミング曲げされた折り部５５ｂが設けられ、原稿とスムースに接触し、紙粉等の発生を防止できるようになっている。なお、制御部材５５の折り部５５ｂと突き当て部材６０との距離(原稿を通すためのギャップ)は０.１〜１.０ｍｍ程度に設定される。
【００２８】
一方、突き当て部材６０は、原稿の搬送方向上流側に設けられ、搬送される原稿を案内する搬送面６０ａと、この搬送面６０ａよりも原稿の搬送方向下流側に搬送面６０ａよりも一段下げて形成される段差面６０ｂとを有している。また、この段差面６０ｂは、セルフォックレンズ５３による光のフォーカスポイントの延長線と対向するように形成されており、段差面６０ｂ上には、二軸延伸ポリエステルフィルムからなる白基準テープ６４が貼り付けられている。したがって、白基準テープ６４は、突き当て部材６０を介してスキャナ装置７０に取り付けられていることになる。本実施の形態では、白基準テープ６４の上面が、搬送路に露出した状態で配置されている。一方、突き当て部材６０の下側であって、第１のプラテンガラス７２Ａの上部側には、この第１のプラテンガラス７２Ａに密着するように白基準板６５が取り付けられている。そして、白基準テープ６４はＣＩＳ５０におけるシェーディングデータを取得するために用いられ、白基準板６５は共用読み取りユニット７４におけるシェーディングデータを取得するために用いられる。
【００２９】
ここで、ＣＩＳ５０は、光学結像レンズにセルフォックレンズ５３を採用していることから、焦点(被写界)震度が±０.３ｍｍ程度と浅く、スキャナ装置７０を用いた場合に比べて約１/１３以下の深度となっている。ＣＩＳ５０による読み取りに際しては、原稿の読み取り位置を所定の狭い範囲内に収めることが要求される。そこで、本実施の形態では、制御部材５５を設け、原稿を制御部材５５によって突き当て部材６０に押し当てて搬送し、プラテンロール１９とアウトロール２０との間にある原稿の姿勢を安定的に制御できるように構成した。図２に示す二点鎖線矢印は、制御部材５５を設けた場合の原稿の動きを示したものである。搬送される原稿が突き当て部材６０に押し当てられながら搬送されることが理解される。すなわち、制御部材５５によって、搬送される原稿を突き当て部材６０に押し当てた状態で読み取ることで、被写界深度の浅いＣＩＳ５０を用いた場合におけるピントの甘さを改善している。
【００３０】
図３は、共用読み取りユニット７４の構造を説明するための図である。本実施の形態では、この共用読み取りユニットもＣＩＳで構成されている。図３に示すように、共用読み取りユニット７４は、ハウジング７４ａと、このハウジング７４ａに装着されるガラス７５と、このガラス７５を透過して原稿の第１面に光を照射する光源としてのＬＥＤアレイ７６と、ＬＥＤアレイ７６からの反射光を集光するレンズとしてのセルフォックレンズアレイ７７と、このセルフォックレンズアレイ７７により集光された光を読み取る受光素子あるいはセンサとしてのラインセンサ７８と、レール７３上をスライドするためのキャスター７９とを備えている。ラインセンサ７８としては、上述したＣＩＳ５０におけるラインセンサ５４と同様に、ＣＣＤやＣＭＯＳセンサ、密着型センサ等を用いることができ、実寸幅(例えばＡ４長手幅２９７ｍｍ)の画像を読み取ることが可能である。そして、共用読み取りユニット７４においても、縮小光学系を用いずに、セルフォックレンズ５３とラインセンサ５４を用いて画像の取り込みを行うことから、構造をシンプルにすることができ、且つ、筐体を小型化し、消費電力を低減することができる。
【００３１】
次に、図１に示す処理装置８０について説明する。
図４は、処理装置８０を説明するためのブロック図である。本実施の形態が適用される処理装置８０は、大きく、センサ(共用読み取りユニット７４およびＣＩＳ５０)から得られた画像情報を処理する信号処理部８１と、原稿送り装置１０およびスキャナ装置７０を制御する制御部９０とを備えている。信号処理部８１は、原稿の表面(第１面)を読み取る共用読み取りユニット７４のラインセンサ７８および裏面(第２面)を読み取るＣＩＳ５０のラインセンサ５４からの各々の出力に対して所定の画像処理を施している。この信号処理部８１は、ラインセンサ５４からの出力に対してアナログ信号の処理を行うＡＦＥ(Analog Front End)８２、アナログ信号をディジタル信号に変換するＡＤＣ(Analog to Digital Converter)８３を有している。但し、これらの機能は、ＣＩＳ５０の内部にて処理されるように構成することもできる。また、信号処理部８１は、ディジタル信号に対してシェーディング補正やオフセット補正等の各種処理を施す画像処理回路が２系統備えられており、共用読み取りユニット７４にて読み取られた表面(第１面)の画像データに対して画像処理を施す第１画像処理回路１００、ＣＩＳ５０にて読み取られた裏面(第２面)の画像データに対して画像処理を施す第２画像処理回路２００を備えている。これら画像処理回路からの出力は、例えばプリンタ等のＩＯＴ(Image Output Terminal)や、パーソナルコンピュータ(ＰＣ)等のホストシステムへ出力される。
【００３２】
一方、制御部９０は、各種両面読み取りの制御や片面読み取りの制御等を含め、原稿送り装置１０およびスキャナ装置７０の全体を制御する画像読み取りコントロール９１、共用読み取りユニット７４およびＣＩＳ５０を制御するＣＩＳ/ＣＩＳコントロール９２、読み取りタイミングに合わせてＣＩＳ５０のＬＥＤアレイ５２や共用読み取りユニット７４のＬＥＤアレイ７６を制御するランプコントロール９３、スキャナ装置７０におけるモータのオン/オフなどを行い共用読み取りユニット７４の移動動作を制御するスキャンコントロール９４、原稿送り装置１０におけるモータの制御、各種ロールの動作やフィードクラッチの動作、ゲートの切り替え動作等を制御する搬送機構コントロール９５を備えている。これらの各種コントロールからは、原稿送り装置１０およびスキャナ装置７０に対して制御信号が出力され、かかる制御信号に基づいて、これらの動作制御が可能となる。画像読み取りコントロール９１は、ホストシステムからの制御信号や、例えば自動選択読み取り機能に際して検出されるセンサ出力、ユーザからの選択等に基づいて、読み取りモードを設定し、原稿送り装置１０およびスキャナ装置７０を制御している。このような読み取りモードとしては、１パス(反転なし)による両面同時読み取りモード、反転パスを用いた反転両面読み取りモード、１パスによる片面読み取りである原稿流し読み取りモード、あるいは、第１のプラテンガラス７２Ａ上に原稿を載置して読み取る原稿固定読み取りモードが考えられる。
【００３３】
図５は、図４に示す画像読み取りコントロール９１によって実行される処理の一例を示したフローチャートである。画像読み取りコントロール９１では、まず、原稿を固定読み取りするのか、原稿を流し読み取りするのかが判断される(ステップ１０１)。この判断は、例えば、スキャナ装置７０上に設けられたコントロールパネル(図示せず)を用いたユーザからの選択や、例えば自動選択読み取り機能が働いている場合には、画像読み込み前の第１搬送路３１上の搬送路両側に設けられたセンサ(図示せず)あるいは第１のプラテンガラス７２Ａの下部に設けられたセンサ(図示せず)等によって認識することができる。また、ホストシステムからの要請や、ネットワーク等を介したユーザからの選択なども考えられる。このステップ１０１で原稿固定読み取りと判断される場合には、原稿固定(第１のプラテンガラス７２Ａに原稿を載置して固定)による片面読み取りが行われる(ステップ１０２)。この原稿固定による片面読み取りでは、第１のプラテンガラス７２Ａ上に原稿を載置、固定した状態で、共用読み取りユニット７４を第１のプラテンガラス７２Ａの下側を移動させながらラインセンサ７８による読み取りがなされる。
【００３４】
一方、ステップ１０１において原稿流し読み取りと判断される場合には、次に、搬送される原稿、すなわち、原稿トレイ１１に載置される原稿が片面原稿か否かが判断される(ステップ１０３)。この判断は、例えば、スキャナ装置７０上に設けられたコントロールパネル(図示せず)を用いたユーザからの選択や、例えば自動選択読み取り機能が働いている場合には、画像読み込み前の第１搬送路３１上の搬送路両側に設けられたセンサ(図示せず)等によって認識することができる。また、ホストシステムからの要請や、ネットワーク等を介したユーザからの選択なども考えられる。このステップ１０３で片面原稿であると判断される場合には、１パス(反転パスを用いない１回だけの原稿搬送パス)による片面読み取りが行われる(ステップ１０４)。この１パスによる片面読み取りでは、ラインセンサ７８による読み取りとＣＩＳ５０による読み取りとをどちらを選択しても良いが、より高画質な画像読み取りを実現する場合には、ラインセンサ７８による読み取りを選択することが好ましい。かかる際には、原稿トレイ１１上に、上向きに片面の原稿部分が存在すると共に原稿の１ページ目が上に来るように載置し、この１ページ目から原稿を搬送して順に読み取られる。
【００３５】
ここで、ステップ１０３で片面原稿ではない場合、即ち、両面原稿である場合には、原稿が白・黒原稿であるか否かが判断される(ステップ１０５)。このステップ１０５の判断は、ステップ１０３と同様に、ユーザからの選択または自動選択読み取り機能によって判断される。カラー原稿であってもユーザが白・黒読み取りを望む場合もある。白・黒読み取りを行わない場合、即ち、カラー読み取りを行う場合には、次に画質が重視されるか否かが判断される(ステップ１０６)。例えば、カラー写真やパンフレット等のカラー画像の場合には、一般に、読み取り速度を上げる生産性よりも画質が重視される。かかる判断もユーザの設定等によってなされる。このステップ１０６で画質を重視すると判断される場合には、反転パスによる両面読み取りが実行される(ステップ１０７)。即ち、ＣＩＳ５０による読み取りを行わず、原稿の第１面および原稿の第２面を共にラインセンサ７８によって読み取るのである。これによって、原稿の第１面および原稿の第２面に対し、共に、焦点深度の深い読み取り手段を用いた高画質な両面読み取りが可能となる。
【００３６】
一方、ステップ１０５で白・黒読み取りを行う場合、または、ステップ１０６で、カラー画像出力を必要とする場合であっても、例えばビジネスカラー等の微妙な色合い等が重視されない場合や、プラス１カラーの場合(黒以外に赤や青等、他の１色のカラーを含む場合)など、画質をあまり重視せず、生産性等の他の要因が重視される場合には、反転パスを用いない、１パスによる両面同時読み取りが行われる(ステップ１０８)。即ち、ラインセンサ７８によって第１面を読み取り、この読み取りの搬送パスに際して、同じ搬送パスにてＣＩＳ５０による第２面の読み取りが行われる。これによって、同一の読み取り部へ原稿を２度、搬送する必要がなく、原稿読み取りスピードを向上させることができると共に、搬送パスが簡潔化されることで、原稿詰まり(ＪＡＭ)等の原稿搬送トラブルを抑制することができる。尚、前述したように、「同時読み取り」とは、必ずしも時間的に一致する場合を意味するものではなく、両面を１回のパスにてほぼ同時期に読み取るという意味である。
【００３７】
なお、ステップ１０４における１パスによる片面読み取り、ステップ１０７における反転パスによる両面読み取り、ステップ１０８における１パスによる両面同時読み取りでは、第２のプラテンガラス７２Ｂ上を原稿が搬送、通過する状態で、共用読み取りユニット７４を第２のプラテンガラス７２Ｂの下側に固定させながらラインセンサ７８による読み取りがなされる。
また、図５に示す処理フローを簡潔化し、両面原稿読み取りにおいて、白黒原稿の読み取りの場合には、ステップ１０８の両面同時読み取りを実行し、カラー原稿の場合には、ステップ１０７の反転パスによって順次、原稿を読み取るように構成することも可能である。また、原稿面の種類に応じて、これらのモードをミックスして用いることもできる。
【００３８】
図６は、本実施の形態において、共用読み取りユニット７４を用いた第１の読み取りモードとしての原稿固定読み取りおよび第２の読み取りモードとしての原稿流し読み取りを説明するための図である。
本実施の形態では、原稿固定読み取りに使用される第１のプラテンガラス７２Ａおよび原稿流し読み取りに使用される第２のプラテンガラス７２Ｂの材質および厚さは同一であり、これら第１のプラテンガラス７２Ａの上面の高さおよび第２のプラテンガラス７２Ｂの上面の高さが、第１の高さＨ１に設定されている。そして、原稿固定読み取りでは、原稿が第１のプラテンガラス７２Ａ上に載置されるため、原稿固定読み取りにおける原稿面の高さは第１の高さＨ１となる。一方で、原稿流し読み取りでは、原稿が第２のプラテンガラス７２Ｂに取り付けられたジャンプ台４４によってジャンプし、第２のプラテンガラス７２Ｂから浮いた状態で搬送されるため、原稿流し読み取りにおける原稿面の高さは第２の高さＨ２となる。つまり、原稿固定読み取りと原稿流し読み取りとで、その原稿面の高さが、Ｈ１−Ｈ２＝Δ１だけ異なっている。
【００３９】
これに対し、本実施の形態では、レール７３の第１のレール部７３Ａと第２のレール部７３Ｂとの間に段差を設け、第１のレール部７３Ａの高さＨ３と第２のレール部７３Ｂの高さＨ４とをＨ３−Ｈ４＝Δ２だけ異ならせている。そして、レール７３の段差Δ２が上述した原稿面の高さの差Δ１と一致するように、つまり、ジャンプ台４４の高さの分だけ第２のレール部７３Ｂの高さをずらすことで、Δ１＝Δ２となるように設定を行っている。つまり、調整手段あるいは移動部を構成するスキャンコントロール９４およびレール７３によって、第１のプラテンガラス７２Ａ下部における第１の読み取り位置と第２のプラテンガラス７２Ｂ下部における第２の読み取り位置とで、共用読み取りユニット７４の高さが変更される。これにより、原稿固定読み取りにおける原稿面とラインセンサ７８との間の光路長と、原稿流し読み取りにおける原稿面とラインセンサ７８との間の光路長とを同一にすることができる。このような設定を行うことにより、本実施の形態では、原稿固定読み取りおよび原稿流し読み取りにおいて共に焦点深度を合わせることが可能となり、焦点深度の浅いＣＩＳを用いて原稿固定読み取りおよび原稿流し読み取りを行う場合に、共に、ぼけのないきれいな読み取り画像を得ることができる。
【００４０】
また、本実施の形態では、共用読み取りユニット７４の光源としてＬＥＤアレイ７６を用いているが、ＬＥＤアレイ７６は点光源であるＬＥＤを所定の間隔にて複数配置したものであるため、ＬＥＤアレイ７６からの距離に応じてその照度分布が変化してしまう。このため、原稿固定読み取りにおけるＬＥＤアレイ７６と原稿面との距離と原稿流し読み取りにおけるＬＥＤアレイ７６と原稿面との距離とが異なっていると、どちらか一方の読み取り画像に縞状の画像むらが現れてしまうおそれがある。本実施の形態では、上述した構成を採用することにより、原稿固定読み取りおよび原稿流し読み取りにおいてＬＥＤアレイ７６と原稿面との間の距離を一定に出来ることから、このような画像むらの発生も防止できる。
【００４１】
なお、本実施の形態では、段差を有するレール７３上に共用読み取りユニット７４を移動自在に配置するようにしていたが、原稿固定読み取りにおける共用読み取りユニット７４の高さと原稿流し読み取りにおける共用読み取りユニット７４の高さとを原稿面の高さの差Δ１だけずらすことができれば、他の手法を用いてもかまわない。
また、本実施の形態では、第１のプラテンガラス７２Ａと第２のプラテンガラス７２Ｂとが別々に設けられる態様について説明を行ったが、これに限られるものではなく、両者が一体的に構成されていたプラテンガラスを用いてもよい。
【００４２】
―実施の形態２―
本実施の形態は、実施の形態１と略同様であるが、原稿固定読み取りにおける原稿面の高さと原稿流し読み取りにおける原稿面の高さとを合わせるようにした点が異なっている。なお、本実施の形態において、実施の形態１と同様のものについては、実施の形態１と同じ符号を付してその詳細な説明を省略する。
【００４３】
図７は、本実施の形態が適用される画像読み取り装置を示した図である。この画像読み取り装置は、実施の形態１で説明したものと略同様であるが、共用読み取りユニット７４が移動自在に取り付けられたレール７３に斜行部が設けられておらず、直線状となっている点が実施の形態１とは異なる。なお、共用読み取りユニット７４については、図３に示す実施の形態１で説明したものと同じものを用いている。
【００４４】
図８は、本実施の形態において、共用読み取りユニット７４を用いた原稿固定読み取りおよび原稿流し読み取りを説明するための図である。
本実施の形態では、原稿固定読み取りに使用される第１のプラテンガラス７２Ａおよび原稿流し読み取りに使用される第２のプラテンガラス７２Ｂの材質および厚さは同一であるが、第１のプラテンガラス７２Ａの上面に対して、第２のプラテンガラス７２Ｂの上面が一段下げて取り付けられている。そして、これら第１のプラテンガラス７２Ａの上面の高さＨ１１と第２のプラテンガラス７２Ｂの上面の高さＨ１２との差はＨ１１−Ｈ１２＝Δ１１だけ異なっている。そして、第２のプラテンガラス７２Ｂの上面に装着されるジャンプ台４４の厚さｄは、ジャンプ第４４の上面の高さが第１のプラテンガラス７２Ａの上面の高さと一致するように、つまり、ｄ＝Δ１１となるように選択されている。
【００４５】
これにより、本実施の形態においても、原稿固定読み取りにおける原稿面とラインセンサ７８との間の光路長と、原稿流し読み取りにおける原稿面とラインセンサ７８との間の光路長とを同一にすることができる。このような設定を行うことにより、本実施の形態では、原稿固定読み取りおよび原稿流し読み取りにおいて共に焦点深度を合わせることが可能となり、焦点深度の浅いＣＩＳを用いて原稿固定読み取りおよび原稿流し読み取りを行う場合に、共に、ぼけのないきれいな読み取り画像を得ることができる。特に、本実施の形態では、レール７３を直線状に設け、共用読み取りユニット７４を水平方向に移動させるだけでよいため、スキャンコントロール９４による駆動制御が容易になる。
【００４６】
―実施の形態３―
本実施の形態は、実施の形態２と略同様であるが、第１のプラテンガラス７２Ａおよび第２のプラテンガラス７２Ｂの厚さを異ならせることで、実質的な光路長(空間換算距離)を合わせるようにした点が異なっている。なお、本実施の形態において、実施の形態２と同様のものについては、同じ符号を付してその詳細な説明を省略する。
【００４７】
図９は、本実施の形態において、共用読み取りユニット７４を用いた原稿固定読み取りおよび原稿流し読み取りを説明するための図である。
本実施の形態では、原稿固定読み取りに使用される第１のプラテンガラス７２Ａおよび原稿流し読み取りに使用される第２のプラテンガラス７２Ｂの材質は同じであるが、第２のプラテンガラス７２Ｂの方が厚くなっている。但し、第１のプラテンガラス７２Ａの上面と第２のプラテンガラス７２Ｂの上面の高さが同一の高さＨ２１に設定されている。一方で、原稿流し読み取りでは、原稿が第２のプラテンガラス７２Ｂに取り付けられたジャンプ台４４によってジャンプし、第２のプラテンガラス７２Ｂから浮いた状態で搬送されるため、原稿流し読み取りにおける原稿面の高さは第２の高さＨ２２となる。つまり、原稿固定読み取りと原稿流し読み取りとで、その原稿面の高さが、Ｈ２１−Ｈ２２＝Δ２１だけ異なっている。
【００４８】
ここで、本実施の形態では、第１のプラテンガラス７２Ａよりも第２のプラテンガラス７２Ｂを厚くすることで、流し読み取りされる原稿からの反射光の空間換算距離を、固定読み取りされる原稿からの反射光の空間換算距離よりも長くしている。そして、第１のプラテンガラス７２Ａと第２のプラテンガラス７２Ｂとの厚さの差を、ジャンプ台４４の厚さｄに対応させている。なお、第１のプラテンガラス７２Ａと第２のプラテンガラス７２Ｂとの厚さの差は、ジャンプ台４４の厚さｄと一致しているとは限らない。また、空間換算距離を変えるためには、第１のプラテンガラス７２Ａと第２のプラテンガラス７２Ｂとの厚さを異ならせる手法の他、異なる屈折率を有する第１のプラテンガラス７２Ａと第２のプラテンガラス７２Ｂを使用する手法もある。
【００４９】
これにより、本実施の形態では、原稿固定読み取りにおける原稿面とラインセンサ７８との間の実質的な光路長(空間換算距離)と、原稿流し読み取りにおける原稿面とラインセンサ７８との間の実質的な光路長(空間換算距離)とを同一にすることができる。このような設定を行うことにより、本実施の形態では、原稿固定読み取りおよび原稿流し読み取りにおいて共に焦点深度を合わせることが可能となり、焦点深度の浅いＣＩＳを用いて原稿固定読み取りおよび原稿流し読み取りを行う場合に、共に、ぼけのないきれいな読み取り画像を得ることができる。特に、本実施の形態では、レール７３を直線状に設け、共用読み取りユニット７４を水平方向に移動させるだけでよいため、スキャンコントロール９４による駆動制御が容易になる。また、第１のプラテンガラス７２Ａの上面と第２のプラテンガラス７２Ｂの上面とを同じ高さＨ２１に設定すればよいので、位置決めが容易になる。
【図面の簡単な説明】
【００５０】
【図１】実施の形態１に係る画像読み取り装置を示す説明図である。
【図２】ＣＩＳおよびＣＩＳ近傍の構造を説明するための図である。
【図３】共用読み取りユニットの構造を説明するための図である。
【図４】処理装置を説明するための図である。
【図５】画像読み取りコントロールによって実行される処理の一例を示したフローチャートである。
【図６】実施の形態１において、共用読み取りユニットを用いた原稿固定読み取りおよび原稿流し読み取りを説明するための図である。
【図７】実施の形態２、３に係る画像読み取り装置を示す説明図である。
【図８】実施の形態２において、共用読み取りユニットを用いた原稿固定読み取りおよび原稿流し読み取りを説明するための図である。
【図９】実施の形態３において、共用読み取りユニットを用いた原稿固定読み取りおよび原稿流し読み取りを説明するための図である。
【符号の説明】
【００５１】
１０…原稿送り装置、１１…原稿トレイ、１８…レジロール、１９…プラテンロール、２０…アウトロール、４０…排出トレイ、４４…ジャンプ台、５０…ＣＩＳ、５０ａ…ハウジング、５１…ガラス、５２…ＬＥＤアレイ、５３…セルフォックレンズ、５４…ラインセンサ、５５…制御部材、６０…突き当て部材、６４…白基準テープ、６５…白基準板、７０…スキャナ装置、７１…装置フレーム、７２Ａ…第１のプラテンガラス、７２Ｂ…第２のプラテンガラス、７３…レール、７３Ａ…第１のレール部、７３Ｂ…第２のレール部、７３Ｃ…斜行部、７４…共用読み取りユニット、７４ａ…ハウジング、７５…ガラス、７６…ＬＥＤアレイ、７７…セルフォックレンズアレイ、７８…ラインセンサ、７９…キャスター、８０…処理装置、９０…制御部
【図１】
2005277774.tif 000003
【図２】
2005277774.tif 000004
【図３】
2005277774.tif 000005
【図４】
2005277774.tif 000006
【図５】
2005277774.tif 000007
【図６】
2005277774.tif 000008
【図７】
2005277774.tif 000009
【図８】
2005277774.tif 000010
【図９】
2005277774.tif 000011